(57)【特許請求の範囲】
【請求項１】
液体を貯留する液体保存容器内部の液体を外部に注ぐために、その液体保存容器に取り付けて用いられる注口具であって、
前記液体保存容器の本体側からの液体を導く液体導出路を有すると共に、該液体導出路の少なくとも前記液体保存容器の本体と反対側の先端部に、上側に開けた開口を有するように構成された導出部材と、
前記液体導出路の前記先端部において、前記導出部材と共に液体の堰き止め部を形成するように、前記開口のうち先端に近い側の所定領域を塞ぐようにその導出部材と一体的に設けられる上壁部材と、を備えていることで、
前記液体保存容器の本体側からの液体は、前記液体導出路を前記堰き止め部まで流れ、前記上壁部材における前記開口を塞いでいない側の縁（以下、開口側端面と言う）から溢れるようにして、その上壁部材の上面をつたって外部に注がれるようになり、
さらに、
前記導出部材及び前記上壁部材の内壁面同士で鋭角ないし直角が形成され、
前記上壁部材における前記開口側端面は、その側断面が、外側に膨らんだ円弧状に、或いは前記液体保存容器の本体側に向かって先鋭となるように形成されており、
前記上壁部材は、前記導出部材における開口面の辺と一体的に設けられ、さらに、前記導出部材における開口面の辺との接続部に対して中心ラインが窪んだ谷形状となるように構成されていることを特徴とする注口具。
【請求項２】
請求項１に記載の注口具において、
前記上壁部材は、前記堰き止め部側の先端から前記開口側端面の方向に向かって前記液体導出路側に傾斜するように設けられていることを特徴とする注口具。
【請求項３】
液体を貯留する液体保存容器において、
その液体保存容器の本体側からの液体を導く液体導出路を有すると共に、該液体導出路の少なくとも液体保存容器の本体と反対側の先端部に、上側に開けた開口を有するように構成された導出部材と、
前記液体導出路の前記先端部において、前記導出部材と共に液体の堰き止め部を形成するように、前記開口のうち先端に近い側の所定領域を塞ぐようにその導出部材と一体的に設けられる上壁部材と、を備えていることで、
液体保存容器の本体側からの液体は、前記液体導出路を前記堰き止め部まで流れ、前記上壁部材における前記開口を塞いでいない側の縁（以下、開口側端面と言う）から溢れるようにして、その上壁部材の上面をつたって外部に注がれるようになり、
さらに、
前記導出部材及び前記上壁部材の内壁面同士で鋭角ないし直角が形成され、
前記上壁部材における前記開口側端面は、その側断面が、外側に膨らんだ円弧状に、或いは前記液体保存容器の本体側に向かって先鋭となるように形成されており、
前記上壁部材は、前記導出部材における開口面の辺と一体的に設けられ、さらに、前記導出部材における開口面の辺との接続部に対して中心ラインが窪んだ谷形状となるように構成されていることを特徴とする液体保存容器。
【請求項４】
液体を貯留する液体保存容器の本体側からの液体を導く液体導出路を有すると共に該液体導出路の少なくとも前記液体保存容器の本体と反対側の先端部に上側に開けた開口を有するように構成された導出部材、と共に、前記液体保存容器内部の液体を外部に注ぐために用いられる上壁部材であって、
前記液体導出路の前記先端部において、前記導出部材と共に液体の堰き止め部を形成するように、前記開口のうち先端に近い側の所定領域を塞ぐようにその導出部材に一体的に取り付けられて使用され、
前記液体保存容器の本体側からの液体は、前記液体導出路を前記堰き止め部まで流れ、当該上壁部材における前記開口を塞いでいない側の縁（以下、開口側端面と言う）から溢れるようにして、その上壁部材の上面をつたって外部に注がれるようになり、
さらに、
当該上壁部材は、その上壁部材の内壁面と前記導出部材の内壁面とで鋭角ないし直角が形成されるようにその導出部材に取り付けられて使用され、
前記開口側端面は、その側断面が、外側に膨らんだ円弧状に、或いは前記液体保存容器の本体側に向かって先鋭となるように、形成されていることを特徴とする上壁部材。
【請求項５】
液体を貯留する液体保存容器内部の液体を外部に注ぐために、その液体保存容器に取り付けて用いられる注口具であって、
前記液体保存容器の本体側からの液体を導く液体導出路を有すると共に、該液体導出路の少なくとも前記液体保存容器の本体と反対側の先端部に、上側に開けた開口を有するように構成された導出部材と、
前記液体導出路の前記先端部において、前記導出部材と共に液体の堰き止め部を形成するように、前記開口のうち先端に近い側の所定領域を塞ぐようにその導出部材と一体的に設けられる上壁部材と、を備え、
前記液体保存容器の本体側からの液体が、前記液体導出路を前記堰き止め部まで流れ、前記上壁部材における前記開口を塞いでいない側の縁（以下、開口側端面と言う）から溢れるようにして、その上壁部材の上面をつたって外部に注がれるようになり、
さらに、前記導出部材及び前記上壁部材の内壁面同士で鋭角ないし直角が形成されており、
前記上壁部材は、前記導出部材における開口面の辺と一体的に設けられ、さらに、前記導出部材における開口面の辺との接続部に対して中心ラインが窪んだ谷形状となるように構成されていることを特徴とする注口具。
【請求項６】
請求項５に記載の注口具において、
前記上壁部材は、前記開口側端面から溢れる液体を導出する方向に沿って前記中心ラインが窪んでいることを特徴とする注口具。
【請求項７】
請求項６に記載の注口具において、
前記上壁部材は、前記堰き止め部側の先端から前記開口側端面の方向に向かって前記液体導出路側に傾斜するように設けられていることを特徴とする注口具。
【請求項８】
液体を貯留する液体保存容器において、
その液体保存容器の本体側からの液体を導く液体導出路を有すると共に、該液体導出路の少なくとも液体保存容器の本体と反対側の先端部に、上側に開けた開口を有するように構成された導出部材と、
前記液体導出路の前記先端部において、前記導出部材と共に液体の堰き止め部を形成するように、前記開口のうち先端に近い側の所定領域を塞ぐようにその導出部材と一体的に設けられる上壁部材と、を備え、
液体保存容器の本体側からの液体が、前記液体導出路を前記堰き止め部まで流れ、前記上壁部材における前記開口を塞いでいない側の縁（以下、開口側端面と言う）から溢れるようにして、その上壁部材の上面をつたって外部に注がれるようになり、
さらに、前記導出部材及び前記上壁部材の内壁面同士で鋭角ないし直角が形成されており、
前記上壁部材は、前記導出部材における開口面の辺と一体的に設けられ、さらに、前記導出部材における開口面の辺との接続部に対して中心ラインが窪んだ谷形状となるように構成されていることを特徴とすることを特徴とする液体保存容器。
【請求項９】
液体を貯留する液体保存容器の本体側からの液体を導く液体導出路を有すると共に該液体導出路の少なくとも前記液体保存容器の本体と反対側の先端部に上側に開けた開口を有するように構成された導出部材、と共に、前記液体保存容器内部の液体を外部に注ぐために用いられる上壁部材であって、
前記液体導出路の前記先端部において、前記導出部材と共に液体の堰き止め部を形成するように、前記開口のうち先端に近い側の所定領域を塞ぐようにその導出部材に一体的に取り付けられて使用され、
前記液体保存容器の本体側からの液体は、前記液体導出路を前記堰き止め部まで流れ、当該上壁部材における前記開口を塞いでいない側の縁（以下、開口側端面と言う）から溢れるようにして、その上壁部材の上面をつたって外部に注がれるようになり、
さらに、当該上壁部材は、その上壁部材の内壁面と前記導出部材の内壁面とで鋭角ないし直角が形成されるようにその導出部材に取り付けられて使用されることを特徴とする上壁部材。
【発明の詳細な説明】
【技術分野】
【０００１】
本発明は、例えば調味料やお茶等の液体の保存容器に適用される注口具に関し、特に、液切れ、液だれ、流量調節のしやすさの点などで良好な注口具に関する。
【背景技術】
【０００２】
例えば調味料（醤油、ソース、酢など）、食用油、お茶などの液体が入った保存容器からその液体を注ごうとすると、注ぎ口の先端の液切れが悪く、液体が注ぎ口を伝わって容器の外側面に垂れてしまう場合がある。
【０００３】
図２１，２２は、従来の注ぎ口の形態（先端）の一例を表す図面である。図２１は、例えば計量カップ等のたぐいに見られる形態である。図２２は、例えばティーポット、急須、やかん等のたぐいに見られる形態である。
【０００４】
図２１（ａ），（ｂ）は、注ぎ口の先端の側断面図であり、図２１（ｃ）は、注ぎ口を液体保存容器本体側から見た図であり、図２１（ｄ）は、注ぎ口先端を正面（液体保存容器本体と反対側）から見た図である。
【０００５】
まず、図２１（ａ）に示すように、液体保存容器本体（図示省略）からの液体は、注ぎ口に沿って流れるため、図２１（ａ）の例のように先端に向かって流路が屈曲していると、その屈曲した部分で液体の流れの向きが変えられる。この結果、その屈曲部分の流れが大きく乱れる。また、注ぎ口の出口端においても、液体の流れが尖状に急激に変えられ、このため、液体の流れが大きく乱れる。流れが乱れると、注ぎ口の出口端において、液体の剥離が遅れる。つまり、液切れが悪くなってしまう。特に、液体の流量が少ない場合に、液体が注ぎ口の外側面に垂れやすくなってしまう。
【０００６】
次に、図２１（ｂ）に示すが、液体保存容器本体の傾きを戻して注ぎを止める場合、注ぎ口から液体保存容器本体側への流れは拡散する。図２１（ｃ）、（ｄ）を参照しても分かるように、出口端の流路が最も狭い（細い）ため、出口端から液体保存容器本体に戻る液体の流路は拡散するのである。このため、流れが不安定となって、液体が液体保存容器本体側へ引き込まれにくくなる。この結果、出口端に液体が残りやすくなり、液切れが悪くなったり液だれが生じたりすることが考えられる。
【０００７】
図２２の例でも同様のことが考えられる。まず、図２２（ａ）に示すが、管状の流路においては四方を壁面に囲まれていることからその壁面との摩擦抵抗が大きくなって流れが乱れやすく、このため、前述のように、出口端において液体の剥離が遅れる。また、本体側への流れも拡散して不安定となり（図２２（ｃ））、液体が本体側に引き込まれにくくなる。このため、液切れが悪くなったり液だれが生じたりしてしまうことが懸念される（図２２（ｂ））。
【０００８】
このような場合、液体保存容器だけでなく、その液体保存容器が置かれたテーブル等まで汚れてしまい、不衛生である。最悪の場合には、テーブル等に液体のシミが残ってしまい、嫌な思いをしてしまう。また、液体保存容器の外側面に液体が付着していると、その液体保存容器を手に持った際、「べとっ」としたような大変不快な思いを強いられることになる。
【０００９】
このような点に鑑み、これまで、種々の形態の注ぎ口が提案されている。例えば、特許文献１には、細管を用いて注ぎ口を形成すると共に、その注ぎ口の先端を鋭利に形成して、液切れの良さの向上を図ったものが開示されている。また、特許文献２，３には、注ぎ口の先端部において、注ぎ口の出口に通ずる複数の孔を設け、液だれの防止を図ったものが開示されている。
【先行技術文献】
【特許文献】
【００１０】
【特許文献１】登実−３０５８４２１号公報
【特許文献２】登実−３０３１１１７号公報
【特許文献３】特開２００１−０６１６２８号公報
【発明の概要】
【発明が解決しようとする課題】
【００１１】
しかしながら、上述した特許文献１〜３に開示された構成でも、その効果は必ずしも顕著ではなく、更なる改善が望まれていた。
また、例えば、特許文献１〜３の例では、流路が狭い（細い）ため、流路内に残留した液体が乾いて固着し、詰まりが生じやすいという問題があった。しかも、洗浄がしづらく、使い勝手が悪いという問題がある。
【００１２】
また、流路が狭い（細い）ため、所望の流量を確保しづらいという課題もあった。つまり、液体保存容器内部の液体を少量ずつしか注ぐことができなくなってしまう。
特に、油、シロップ、蜂蜜等のように粘度の高い液体を扱うような場合に、その問題は顕著であり、流路における摩擦力が大きくなって液体を注ぐことができなくなってしまうことがあった。このため、高粘度の液体には用いることができなかった。
【００１３】
本発明は、こうした問題に鑑みなされたもので、液切れ、液だれ、流量調節などの性能を更に向上させることができる新規な構成の注口具、その注口具を有する液体保存容器、
及び注口具に用いる上壁部材を提供することを目的とする。
【課題を解決するための手段】
【００１４】
上記目的を達成するためになされた請求項１に記載の発明は、液体を貯留する液体保存容器内部の液体を外部に注ぐために、その液体保存容器に取り付けて用いられる注口具であって、液体保存容器の本体側からの液体を導く液体導出路を有すると共に、該液体導出路の少なくとも液体保存容器の本体と反対側の先端部に、上側に開けた開口を有するように構成された導出部材と、液体導出路の先端部において、導出部材と共に液体の堰き止め部を形成するように、開口のうち先端に近い側の所定領域を塞ぐようにその導出部材と一体的に設けられる上壁部材と、を備えている。
【００１５】
このため、液体保存容器内部の液体を外部に注ぐべく液体保存容器を傾けた場合において、液体保存容器の本体側からの液体は、液体導出路を堰き止め部まで流れ、上壁部材における開口を塞いでいない側の縁（以下、開口側端面と言う）から溢れるようにして、その上壁部材の上面をつたって外部に注がれるようになる。
【００１６】
この場合に、液体導出路の堰き止め部においては、よどみが生じる。そして、液体保存容器の本体側からの液体は、そのよどみを乗り越えるようにして、液体導出路の出口に向かって流れる。よどみの境界では、抵抗が少ないため、流れの乱れが少なくなる。つまり、よどみをあえて生じさせてそのよどみの境界を液体が流れるようにすることで、液体導出路の出口に向かって安定した流れが生じるようにしている。
【００１７】
このような作用をもたらす本請求項１の注口具においては、さらに、導出部材及び上壁部材の内壁面同士で鋭角ないし直角が形成され、上壁部材における開口側端面は、その側断面が、外側に膨らんだ円弧状に、或いは液体保存容器の本体側に向かって先鋭となるように、形成されている。
【００１８】
導出部材及び上壁部材の内壁面同士で鋭角ないし直角が形成されていることから、液体が堰き止め部に堰き止められやすくなる。つまり、確実によどみを生じさせることができる。このため、前述したような、液体導出路の出口に向かって安定した流れを生じさせることができるという効果をより確実に得ることができる。
【００１９】
また、上壁部材における開口側端面は、その側断面が、外側に膨らんだ円弧状に、或いは液体保存容器の本体側に向かって先鋭となるように形成されていることから、この部分での液体の剥離、或いは液体の流れの乱れを抑えることができる。
【００２０】
開口側端面の側断面が外側に膨らんだ円弧状に形成されている場合には、液体保存容器の本体側からの液体はその円弧の形状に沿って流れ、これによりその部分での流れの抵抗が小さく抑えられるためである。開口側端面の側断面が液体保存容器の本体側に向かって先鋭となるように形成されている場合も同様に、その部分での流れの抵抗が小さく抑えられる。
【００２１】
よどみを乗り越えるようにして流れてきた液体は、さらに上壁部材の開口側端面から溢れるようにしてその上壁部材の上面を流れて外部に注がれるが、この際、前述のような理由から、開口側端面における流れの剥離、或いは流れの乱れを防止することができるため、安定した流れを維持することができる。液体の流れが安定したままであるから、注口具からの液離れが良くなる。つまり、液切れが良くなる。
【００２２】
さらに、本請求項１の注口具では、液体導出路の最も先端の部分を塞いで堰き止め部を形成しているわけであるが、このようにすると、液体の注ぎを中止して液体を液体保存容器本体に戻そうとした場合、液体の流れが拡散してしまうことを抑制することができる。むしろ、堰き止め部の液体が、液体保存容器の本体側に向かって収束するように流れるようになる。堰き止め部はある程度の空間を有しているためである。
【００２３】
よって、不安点な流れが生じることを抑制でき、液体が液体保存容器本体に引き込まれにくくなることを防止することができる。これによれば、液切れの悪さや液だれの問題等を解消することができる。
【００２４】
また、本請求項１の注口具は、導出部材と上壁部材とを有することで流れを安定させることができるものであり、液体導出路の大きさは特に問題ではない。このため、液体導出路の大きさを適宜調整することで、高粘度の液体にも対応することができる。例えば、油、シロップ、蜂蜜等のような液体を保存する液体保存容器にも適用することができる。
【００２５】
尚、請求項１の注口具では、次のように構成されても良い。
具体的には、導出部材は、三角錐の嘴形状を形成するように構成されていても良い。
【００２６】
これによれば、液体の注ぎを中止して液体を液体保存容器本体に戻そうとする際において、導出部材が三角錐の嘴形状である（つまり、液体導出路が三角錐の嘴形状である）ことから、液体が液体保存容器本体に引き込まれやすくなる。具体的には、導出部材の上面に対して、下方は谷形状となるように構成することで、谷に向かって液体が引き込まれやすくなる。このため、液切れや液だれの性能を向上させることができる。
【００２７】
また、本発明の注口具では、上壁部材は、導出部材における開口面の辺と一体的に設けられ、さらに、該上壁部材は、導出部材における開口面の辺との接続部に対して中心ラインが窪んだ谷形状となるように構成されている。
【００２８】
これによれば、液体が上壁部材の上面を流れる際に、その液体がその谷の部分に沿って流れやすくなる。このため、液体を良好に注ぐことができるようになると共に、液体の注ぎを中止して液体を液体保存容器本体に戻す際にも、液体が安定して流れるようになる。このため、液切れや液だれの性能を向上させることができる。
【００２９】
尚、三角錐の嘴形状の注口具は、例えば計量カップ等のたぐいに用いることができる。勿論、計量カップ等のたぐい以外にも用いても良い。三角錐の嘴形状の注ぎ口は、一般によく見られる形状であり、そのような注口具によれば、従来のデザイン性を損ねることがない。
【００３０】
次に、本発明の注口具では、次のように構成すると良い。
具体的には、上壁部材は、堰き止め部側の先端から開口側端面の方向に向かって液体導出路側に傾斜するように設けられていても良い。
【００３１】
これによれば、上壁部材の上面を、液体が液体保存容器本体側に向かって流れやすくなるようにすることができる。つまり、液体が、液体保存容器本体に戻りやすくなるようにすることができる。よって、液切れや液だれの性能を向上させることができる。
【００３２】
他の局面では、本発明は、液体を貯留する液体保存容器において、その液体保存容器の本体側からの液体を導く液体導出路を有すると共に、該液体導出路の少なくとも液体保存容器の本体と反対側の先端部に、上側に開けた開口を有するように構成された導出部材と、液体導出路の先端部において、導出部材と共に液体の堰き止め部を形成するように、開口のうち先端に近い側の所定領域を塞ぐようにその導出部材と一体的に設けられる上壁部材と、を備えたものである。
【００３３】
このため、液体保存容器内部の液体を外部に注ぐべく液体保存容器を傾けた場合において、液体保存容器の本体側からの液体は、液体導出路を堰き止め部まで流れ、上壁部材における開口を塞いでいない側の縁（以下、開口側端面と言う）から溢れるようにして、その上壁部材の上面をつたって外部に注がれるようになる。
【００３４】
このような作用をもたらす液体保存容器において、さらに、導出部材及び上壁部材の内壁面同士で鋭角ないし直角が形成され、上壁部材における開口側端面は、その側断面が、外側に膨らんだ円弧状に、或いは液体保存容器の本体側に向かって先鋭となるように、形成されている。
また、上壁部材は、導出部材における開口面の辺と一体的に設けられ、さらに、該上壁部材は、導出部材における開口面の辺との接続部に対して中心ラインが窪んだ谷形状となるように構成されている。
【００３５】
このような液体保存容器によれば、請求項１について述べた効果と同じ効果を得ることができる。
他の局面では、本発明は、液体を貯留する液体保存容器の本体側からの液体を導く液体導出路を有すると共に該液体導出路の少なくとも液体保存容器の本体と反対側の先端部に上側に開けた開口を有するように構成された導出部材、と共に、液体保存容器内部の液体を外部に注ぐために用いられる上壁部材であって、液体導出路の先端部において、導出部材と共に液体の堰き止め部を形成するように、開口のうち先端に近い側の所定領域を塞ぐようにその導出部材に一体的に取り付けられて使用されるものである。
【００３６】
このような上壁部材を用いれば、液体保存容器の本体側からの液体は、液体導出路を堰き止め部まで流れ、当該上壁部材における開口を塞いでいない側の縁（以下、開口側端面と言う）から溢れるようにして、その上壁部材の上面をつたって外部に注がれるようになる。
【００３７】
さらに、上壁部材は、その上壁部材の内壁面と導出部材の内壁面とで鋭角ないし直角が形成されるようにその導出部材に取り付けられて使用されるものであり、開口側端面は、その側断面が、外側に膨らんだ円弧状に、或いは液体保存容器の本体側に向かって先鋭となるように、形成されている。
【００３８】
このような上壁部材を用いれば、請求項１について述べた効果と同じ効果を得ることができる。
他の局面では、本発明は、液体を貯留する液体保存容器内部の液体を外部に注ぐために、その液体保存容器に取り付けて用いられる注口具であって、液体保存容器の本体側からの液体を導く液体導出路を有すると共に、該液体導出路の少なくとも液体保存容器の本体と反対側の先端部に、上側に開けた開口を有するように構成された導出部材と、液体導出路の先端部において、導出部材と共に液体の堰き止め部を形成するように、開口のうち先端に近い側の所定領域を塞ぐようにその導出部材と一体的に設けられる上壁部材と、を備えている。
【００３９】
このため、液体保存容器内部の液体を外部に注ぐべく液体保存容器を傾けた場合において、液体保存容器の本体側からの液体は、液体導出路を堰き止め部まで流れ、上壁部材における開口を塞いでいない側の縁（以下、開口側端面と言う）から溢れるようにして、その上壁部材の上面をつたって外部に注がれるようになる。
【００４０】
この場合に、液体導出路の堰き止め部においては、よどみが生じる。そして、液体保存容器の本体側からの液体は、そのよどみを乗り越えるようにして、液体導出路の出口に向かって流れる。よどみの境界では、抵抗が少ないため、流れの乱れが少なくなる。つまり、よどみをあえて生じさせてそのよどみの境界を液体が流れるようにすることで、液体導出路の出口に向かって安定した流れが生じるようにしている。
【００４１】
このような作用をもたらす本発明の注口具においては、さらに、導出部材及び上壁部材の内壁面同士で鋭角ないし直角が形成されている。
導出部材及び上壁部材の内壁面同士で鋭角ないし直角が形成されていることから、液体が堰き止め部に堰き止められやすくなる。つまり、確実によどみを生じさせることができる。このため、前述したような、液体導出路の出口に向かって安定した流れを生じさせることができるという効果をより確実に得ることができる。そして、液体の流れが安定することで、注口具からの液離れが良くなる。つまり、液切れが良くなる。
【００４２】
このような本発明の注口具は、導出部材と上壁部材とを有することで流れを安定させることができるものであり、液体導出路の大きさは特に問題ではない。このため、液体導出路の大きさを適宜調整することで、高粘度の液体にも対応することができる。例えば、油、シロップ、蜂蜜等のような液体を保存する液体保存容器にも適用することができる。
また、本発明の注口具では、上壁部材は、導出部材における開口面の辺と一体的に設けられ、さらに、該上壁部材は、導出部材における開口面の辺との接続部に対して中心ラインが窪んだ谷形状となるように構成されている。
【００４３】
次に、本発明の注口具では、次のように構成されても良い。
具体的には、上壁部材は、開口側端面から溢れる液体を導出する方向に沿って中心ラインが窪んでいても良い。
【００４４】
これによれば、液体が上壁部材の上面を流れる際に、その液体がその谷の部分に沿って流れやすくなる。このため、液体を良好に注ぐことができるようになると共に、液体の注ぎを中止して液体を液体保存容器本体に戻す際にも、液体が安定して流れるようになる。このため、液切れや液だれの性能を向上させることができる。
【００４５】
次に、本発明の注口具では、次のように構成されても良い。
具体的には、上壁部材は、堰き止め部側の先端から開口側端面の方向に向かって液体導出路側に傾斜するように設けられても良い。
【００４６】
これによれば、上壁部材の上面を、液体が液体保存容器本体側に向かって流れやすくなるようにすることができる。つまり、液体が、液体保存容器本体に戻りやすくなるようにすることができる。よって、液切れや液だれの性能を向上させることができる。
【００４７】
他の局面では、本発明は、液体を貯留する液体保存容器において、その液体保存容器の本体側からの液体を導く液体導出路を有すると共に、該液体導出路の少なくとも液体保存容器の本体と反対側の先端部に、上側に開けた開口を有するように構成された導出部材と、液体導出路の先端部において、導出部材と共に液体の堰き止め部を形成するように、開口のうち先端に近い側の所定領域を塞ぐようにその導出部材と一体的に設けられる上壁部材と、を備えたものである。
【００４８】
このため、液体保存容器内部の液体を外部に注ぐべく液体保存容器を傾けた場合において、液体保存容器の本体側からの液体は、液体導出路を堰き止め部まで流れ、上壁部材における開口を塞いでいない側の縁（以下、開口側端面と言う）から溢れるようにして、その上壁部材の上面をつたって外部に注がれるようになる。
【００４９】
このような作用をもたらす液体保存容器において、さらに、導出部材及び上壁部材の内壁面同士で鋭角ないし直角が形成されている。
また、上壁部材は、導出部材における開口面の辺と一体的に設けられ、さらに、該上壁部材は、導出部材における開口面の辺との接続部に対して中心ラインが窪んだ谷形状となるように構成されている。
このような液体保存容器によれば、前述した効果と同じ効果を得ることができる。
【００５０】
他の局面では、本発明は、液体を貯留する液体保存容器の本体側からの液体を導く液体導出路を有すると共に該液体導出路の少なくとも液体保存容器の本体と反対側の先端部に上側に開けた開口を有するように構成された導出部材、と共に、液体保存容器内部の液体を外部に注ぐために用いられる上壁部材であって、液体導出路の先端部において、導出部材と共に液体の堰き止め部を形成するように、開口のうち先端に近い側の所定領域を塞ぐようにその導出部材に一体的に取り付けられて使用されるものである。
【００５１】
このような上壁部材を用いれば、液体保存容器の本体側からの液体は、液体導出路を堰き止め部まで流れ、当該上壁部材における開口を塞いでいない側の縁（以下、開口側端面と言う）から溢れるようにして、その上壁部材の上面をつたって外部に注がれるようになる。
【００５２】
さらに、上壁部材は、その上壁部材の内壁面と導出部材の内壁面とで鋭角ないし直角が形成されるようにその導出部材に取り付けられて使用されるものである。
このような上壁部材を用いれば、前述した効果と同じ効果を得ることができる。
【図面の簡単な説明】
【００５３】
【図１】本発明が適用されたティーポット１の全体図である。
【図２】本発明の注口具１０の斜視図である。
【図３】注口具１０の側断面図、正面図、平面図である。
【図４】本発明の注口具１０の作用を説明する図面である（その１）。
【図５】本発明の注口具１０の作用を説明する図面である（その２）。
【図６】本発明の注口具１０の効果を説明する図面である（その１）。
【図７】本発明の注口具１０の効果を説明する図面である（その２）。
【図８】本発明の注口具１０の効果を説明する図面である（その３）。
【図９】注口具１０を上方から見た際の外形形状の例を表す図面である。
【図１０】注口具１０の先端１０ａを上方から見た際のその先端１０ａの形状の例を表す図面である。
【図１１】上壁部１４においてのくぼみ形状の例を表す図面である。
【図１２】開口側端面１４ａを上方から見た際の端面形状の例を表す図面である。
【図１３】開口部の形状の例を表す図面である。
【図１４】注口具１０の側断面の形状の例を表す図である。
【図１５】注口具１０の開口面１０ｃと上壁部１４の上辺１４ｃとの関係を表す図面である。
【図１６】注口具１０の先端形状（導出部１２の先端形状）の例を表す図面である。
【図１７】ボトル容器に本発明を適用した例を表す図面である。
【図１８】本発明を適用し得る容器の形状の例を示した図面である。
【図１９】急須の注ぎ口に注口具１０を設ける場合の適用例を示す。
【図２０】ボトル容器の注ぎ口に注口具１０を設ける場合の適用例を示す。
【図２１】従来の注ぎ口の形態の一例を表す図面である（その１）。
【図２２】従来の注ぎ口の形態の一例を表す図面である（その２）。
【発明を実施するための形態】
【００５４】
以下に、本発明の実施形態を図面に基づき説明する。
図１は、本発明が適用されたティーポット１の全体図である。ティーポット１は、例えばお茶を貯留する容器として用いられる。
【００５５】
ティーポット１は、本発明の注口具１０を備えている。尚、注口具１０は、ティーポット１本体に対して（ティーポット１の注ぎ口に対して）着脱自在に構成されても良いし、ティーポット１本体と一体的に（一体形状として）構成されても良い。本例では、注口具１０が、ティーポット１本体と一体的に設けられているものとする。
【００５６】
図２は、注口具１０の斜視図である。尚、以下の説明において、上とは、鉛直方向の上（紙面における上）のことを指し、下とは、鉛直方向の下（紙面における下）のことを指す。
【００５７】
図２に示すように、注口具１０は、次第に先細となる略三角錐の嘴形状をなしている。三角錐の上面（後述する導出部１２の上端）は、ティーポット１本体の底面（図示せず）と略平行であり、また、開口している。
【００５８】
注口具１０は、略三角錐の嘴形状の上面に対向する下方側の２面を形成し、ティーポット１からの液体を注口具１０の先端１０ａ側に導く導出部１２と、導出部１２の上面の開口のうち、先端１０ａに近い側の領域を塞ぐようにその導出部１２と一体的に設けられる上壁部１４とを有している。上壁部１４は、略三角錐の嘴形状の先端１０ａを頂点として、略三角形をなしている。また、その上壁部１４の開口側の縁（ティーポット１本体側の縁であり、以下、開口側端面１４ａと記載する）は、注口具１０の上面（導出部１２の上面）を形成する三角形の底辺に略平行である。つまり、上壁部１４の形状は、少なくとも二等辺三角形となっている。
【００５９】
図３に、注口具１０の側断面図、正面図、及び平面図を示す。
まず、図３（ａ）に示すように、導出部１２と上壁部１４とは、内壁面同士が鋭角を形成するように設けられている。
【００６０】
また、上壁部１４は、開口側端面１４ａの高さが、その開口側端面１４ａと反対側の先端１０ａの高さよりも低くなるようになっている。つまり、上壁部１４は、注口具１０の先端１０ａからティーポット１の本体側に向けて下向きに傾斜するように設けられている。
【００６１】
また、上壁部１４の開口側端面１４ａは、側断面が、円弧状（Ｒ状）に形成されている。
次に、図３（ｂ）に示すように、上壁部１４において、注口具１０の先端１０ａを通る中心線の部分の高さは、導出部１２との接続部１４ｂの高さよりも低くなるように構成されている。言い換えると、上壁部１４は、その上壁部１４において導出部１２との接続部１４ｂに対する中心線の部分が最も低く窪んだ谷形状をなしている。
【００６２】
尚、図３（ｃ）に示すように、注口具１０の上面の形状（真上から見た形状）は、正三角形である。また、上壁部１４の形状（真上から見た形状）も、正三角形となっている。
図４，５は、本実施形態の注口具１０の作用を説明する図面である。
【００６３】
図４（ａ）に示すが、液体を貯留するティーポット１本体を、注口具１０側に傾けていくと、ティーポット１本体内部の液体は、注口具１０側に流れてくる。この過程において、ティーポット１本体からの液体が導出部１２に沿って流れる一方、その導出部１２と上壁部１４とで形成される空間（以下、堰き止め部と記載する）において、一旦流れが堰き止められる。そして、堰き止め部において、いわゆるよどみが生じる（Ａ）。つまり、液体の流れがない、或いは液体の流れがゆるやかな部分が生じる。図４（ａ）において破線で示すように、おおよそ、上壁部１４の開口側端面１４ａと、導出部１２におけるティーポット１本体側のつけ根部分との間においてよどみが生じる。
【００６４】
そして、図４（ａ）において矢印で示すように、ティーポット１本体からの液体、特に、ティーポット１本体の下方側（導出部１２におけるティーポット１本体側のつけ根部分）から流れてくる液体は、よどみの部分を乗り越えるようにして、開口側端面１４ａに向かって流れてくる。また、ティーポット１本体からの液体、特に液面付近の液体は、液面に沿って開口側端面１４ａに向かって流れてくる。
【００６５】
ここで、よどみの境界（Ｂ）においては、粘性抵抗が小さくなり、このため、よどみを乗り越えるようにして流れてくる液体の流れは、例えば導出部１２の壁面に沿って流れる場合と比較して乱れなくなる。尚、導出部１２におけるティーポット１本体側のつけ根部分において、液体がティーポット１本体の壁面、或いは導出部１２の壁面に沿って流れることが考えられる。この場合、流れの乱れが多少生じると思われるが、最終的によどみの境界部分において流れが安定するようになり、乱れの影響は軽微であると思われる。
【００６６】
また、よどみを乗り越えるようにして流れてくる液体の流速は、そのよどみの境界の粘性抵抗が小さいことから、壁面に沿って液体が流れる場合の流速と比較して大きくなる。このため、液面を流れる液体の流速と、よどみを乗り越えるようにして流れてくる液体の流速との差は、相対的に小さくなる。
【００６７】
そして、液面を流れる液体と、よどみを乗り越えるようにして流れてくる液体とは、互いの速度差が小さい状態で、流路が狭められつつ（収束しつつ）開口側端面１４ａに向かって流れる（Ｄ）。言い換えると、液体は、その液体の液面部分と底部との速度差が低く抑えられた状態で、開口側端面１４ａに向かってゆるやかに収束しつつ流れる。このため、液体の流れは安定することになる。逆に言えば、液体の流れが乱れないようになっている。
【００６８】
そして、開口側端面１４ａに向かって流れる液体は、その開口側端面１４ａから溢れるようにして、上壁部１４の上面を流れるのであるが（Ｅ）、ここで、前述のように、開口側端面１４ａが円弧状（Ｒ状）に形成されているため（Ｃ）、液体は、開口側端面１４ａの円弧状の形状に沿って流れるようになり、液体の流れの安定性を維持できるようになっている。言い換えれば、開口側端面１４ａの部分で液体の流れが乱れてしまわないようになっている。或いは流れが剥離してしまわないようになっている。
【００６９】
そして、図４（ａ）のように、液体は、開口側端面１４ａの部分で屈曲するように流れるが（Ｄ）、前述のようによどみが形成されることと、開口側端面１４ａが円弧状に形成されていることとが相まって、液体の流れは鈍角状にゆるやかに変化するようになる。このため、流れの安定性を維持することができる。
【００７０】
そして、液体は、流れの安定性を維持したまま、上壁部１４の上面を流れ、重力に従って自然に流れ落ちる（Ｅ）。上壁部１４の上面において、液体の流れは層流となる（レイノルズ数が相対的に小さくなる）。層流とは、流線が規則正しく整った安定した流れのことである。また、レイノルズ数とは、粘性による摩擦力と慣性力との比で定義される無次元数であり、以下の式（１）で表される。尚、Ｒｅ：レイノルズ数とする。
【００７１】
【数１】
0005538737.tif 000002
加えて言えば、上壁部１４の上面においては、液体の流れの層は薄くなるため、レイノルズ数が低下する。このため、流れがより安定することになる。しかも、図３（ｂ）で説明したように、上壁部１４は、導出部１２との接続部１４ｂに対する中心線部分（上壁部１４が形成する三角形の中線に相当する部分）が最も低く窪んだ谷形状に構成されているため、液体の流れが拡散することがなく、このため、流れの安定性が維持される。
【００７２】
尚、上壁部１４の上面の流れにおいて、上壁部１４との粘性抵抗の影響で、注口具１０の先端１０ａに向かって徐々に流れが乱れ、このため流れが層流から乱流に移行してしまう懸念もある。この点、本実施形態の注口具１０では、上壁部１４の開口側端面１４ａから先端１０ａまでの長さを、その上壁部１４における流れが層流のまま維持されるような、充分に小さい長さとしている。
【００７３】
このような流れの作用をもたらすティーポット１においては、液体は、流れの安定性を維持したまま（層流を保ったまま）注口具１０の先端１０ａまで流れるため、その先端１０ａから速やかに剥離する（Ｆ）。つまり、液切れの性能が良好になる。
【００７４】
ここで、図４（ｂ）に、注ぎを中止した初期段階（ティーポット１の傾きを戻し始めた段階）の様子を示す。まず、前述のように、液切れの性能が良いことから、図４（ｂ）のような初期段階でも、上壁部１４の上面の液体は速やかに先端１０ａ部から剥離し、注口具１０の外側の面に伝わりにくい（Ｇ）。
【００７５】
また、図４（ｂ）に示す初期段階において、上壁部１４の上面に残った液体（Ｈ）、或いは開口側端面１４ａ付近に残った液体は（Ｉ）、開口側端面１４ａを介して、緩やかな角度でティーポット１本体側に引き込まれる。この場合、残った液体が開口側端面１４ａにおいて途切れにくくなり、残った液体の全てが引き込まれやすくなる。
【００７６】
また、図３（ａ）において説明したように、上壁部１４は、注口具１０の先端１０ａからティーポット１本体に向けて、開口側端面１４ａが下向きに傾斜するように（尚、ティーポット１が水平面に置かれた状態を前提とし、下向きと記載している）設けられている。
【００７７】
このため、上壁部１４の上面に残った液体は、ティーポット１本体側に戻りやすくなる。仮に、ティーポット１の傾きが完全に戻された状態（ティーポット１が水平面に置かれた状態）で、上壁部１４の上面に液体が残っていたとしても、その残った液体が外部に垂れてしまうことがない。このように、液だれをより確実に防止することができる。
【００７８】
図５は、注ぎを中止した後期段階（ティーポット１の傾きが水平に戻りつつある段階）の様子を示す。
図５（ａ）において矢印で示すように、後期段階においては、液体が重力に従ってより下方に移動しようとするため、残った液体の引き込み力はより大きくなる（Ｊ）。
【００７９】
また、図５（ｂ）に示すように、上壁部１４の開口側端面１４ａにおける導出部１２との接続部１４ｂから、ティーポット１本体に向けて収束するような流れが生じる（Ｋ）。このような理由からも、液体のティーポット１本体側への引き込み力はより大きくなる。
【００８０】
このように、注ぎを中止した場合において、液体は速やか、かつ確実にティーポット１本体に引き込まれるようになり、液切れの性能が向上すると共に、液だれが生じにくくなる。
【００８１】
次に、本実施形態の注口具１０の更なる効果について説明する。具体的に、流量の調節のしやすさについて、図６〜図８を用いて説明する。
図６は、従来の注ぎ口の形態（従来型）と、本実施形態の注口具（改良型）とにおいて、正面から見た（先端１０ａ側から見た）際の開口部の投影面積を比較したものである。
【００８２】
まず、図６（ａ）に示すように、従来型及び改良型は共に、真上から見た形状が正三角形をなしているものとする。異なる点は、従来型は上壁部１４を有していないのに対し、改良型は上壁部１４を有している点である。
【００８３】
図６（ｂ）に、ティーポット１本体の傾き（注ぎ口の傾き）と、開口の投影面積との関係を示す。傾きが０の場合は、開口の投影面積は０となる。そして、傾きを１５度、３０度、４５度、６０度と大きくしていくに従って、開口の投影面積は大きくなっていく。
【００８４】
ここで、図６（ｃ）に示すように、改良型及び従来型の注ぎ口を真上から見た形状（図６（ａ））を、一辺の長さが２ｘｃｍである正三角形とし、また傾きをθとする。
この場合、開口の投影面積は以下の式で表される。尚、上壁部１４の形状は、一辺の長さがｘｃｍである正三角形とする。つまり、開口側端面１４ａの長さはｘｃｍであるとする。
【００８５】
従来型においては、開口の投影面積は、以下の式（２）で表され、改良型においては、開口の投影面積は、以下の式（３）で表される。
【００８６】
【数２】
0005538737.tif 000003
ここで、傾きθと開口の投影面積との関係を表すグラフを、図７に示す。
【００８７】
図７のグラフは、横軸にθの値をとり、縦軸に開口の投影面積の値をとったものである。この図７のグラフを見て分かるように、傾きθの変化に対する開口の面積の変化の割合は、従来型よりも改良型のほうが小さくなっている。
【００８８】
つまり、従来型のほうが、傾きθの変化に対する開口全体の投影面積の変化の度合いが大きくなり、傾きθの小さな変化に対して、流出量が増減しやすくなる。このため、液体の流出量の調整が難しくなる。
【００８９】
一方、改良型においては、従来型と比較して、傾きθの変化に対する開口全体の投影面積の変化の度合いが小さくなり、傾きθの小さな変化に対して、流出量が増減しにくくなる。このため、流出量の調節は簡単になる。特に、ティーポット１のような器具は人が扱うものであり、人は、機械のように精密に傾きを制御できるわけではない。このため、人間にとっては、改良型の方が、流量の調節のしやすさという点では使い勝手が良い。
【００９０】
ところで、図６，７では、傾きと、開口全体の投影面積との関係について検討したが、開口全体の投影面積ではなく、開口全体の面積のうち所定の液面高さまでの投影面積について考慮すると、図８のようになる。
【００９１】
図８において、従来型の投影面積と改良型の投影面積とでは、常に、上壁部１４の投影面積の分だけ、差が生じる。つまり、以下の式（４）の分だけ差が生じる。
【００９２】
【数３】
0005538737.tif 000004
所定の液面高さまでの投影面積は、開口全体の投影面積よりも小さいため、その所定の液面高さまでの投影面積と傾きθとの関係においては、図６，７で説明したような効果はより顕著となる。具体的に、改良型のほうが傾きθの変化に対する投影面積（液体の流出面積）の変化の度合いが小さくなるという効果がより顕著となる。つまり、液体の流出量を調整しやすくなるという効果がより顕著となる。
【００９３】
尚、本実施形態において、導出部１２が導出部材に相当し、上壁部１４が上壁部材に相当している。
【実施例】
【００９４】
次に、本発明の注口具１０の実施例について説明する。
図９〜２０は、注口具１０の実施例を表す図面である。より具体的に、注口具１０の形状についての一例を表す図面である。
【００９５】
まず、図９は、注口具１０において、その注口具１０を上方から見た際（Ｓ矢視）の外形形状の例、及び注口具１０を上方から見た際（Ｓ矢視）の上壁部１４におけるくぼみの形状の例を表す図面である。
【００９６】
上壁部１４についてのＳ矢視の外形形状は、例えば図９（ａ）〜（ｃ）に示すような形状をとり得る。具体的に、図９（ａ）に示すように接続部１４ｂが次第に先鋭（先細）となるような形状でも良いし、同図（ｂ）に示すように接続部１４ｂが略平行な形状でも良いし、同図（ｃ）に示すように接続部１４ｂが先端に向かって広がるような形状でも良い。尚、ここでは、接続部１４ｂは上壁部１４と導出部１２との接続部分であることを前提としているが、接続部１４ｂは、導出部１２よりも外側に突出してかさ状に形成されていても良い。例えば図９（ｃ）において、接続部１４ｂにおける先端側が導出部１２よりも外側に突出していても良い。
【００９７】
また、上壁部１４のうち、接続部１４ｂよりも内側の部分のくぼみの形状は、例えば同図９（ｄ）〜（ｈ）に示すような形状をとり得る。具体的に、同図（ｄ）に示すように次第に先細となる三角形状でも良いし、同図（ｅ）に示すように先端側が楕円形状となる形状でも良いし、同図（ｆ）に示すように次第に先細となる三角形状において先端をＲ状にした（円弧状にした）形状でも良いし、同図（ｇ）に示すように例えば（ｅ）の如き形状においてさらに先端部を次第に先細となる三角形状にしたような形状でも良いし、同図（ｈ）に示すように次第に先細となりつつ、くぼみ形状がそのまま先端１０ａに抜けるよう形成されているような形状でも良い。同図９（ｄ）〜（ｈ）に示すように、くぼみの形状（くぼみの外縁の形状）は、直線及び曲線の何れかで構成されても良く、また、直線及び曲線の両方にて構成されても良い。
【００９８】
図１０は、注口具１０において、その注口具１０の先端１０ａを上方から見た際（Ｓ矢視）のその先端１０ａの形状の例を表す図面である。
注口具１０の先端１０ａの形状は、例えば図１０（ａ）〜（ｈ）に示すような形状をとり得る。具体的に、図１０（ａ）に示すように次第に先細となる三角形状でも良いし、同図（ｂ）に示すように次第に先細となりつつ先端側がＲ状（円弧状）に形成された形状でも良いし、同図（ｃ）に示すように次第に先細となりつつ先端側の内角イが鈍角になるような形状でも良いし、同図（ｄ）に示すように台形形状でも良いし、同図（ｅ）に示すように次第に先細となりつつ谷状となるように辺ロが形成されて先端側の内角ハが１８０℃以上となるような形状でも良いし、同図（ｆ）に示すように（ｅ）の如き形状において内角の部分がＲ状（円弧状）に形成された形状でも良いし、同図（ｇ）に示すように次第に先細となりつつ谷状となるように辺二→辺ホと多段階に形成されて内角へが１８０℃以上となるような形状でも良いし、同図（ｈ）に示すように次第に先細となりつつ先端側に台形状の谷形状が設けられたような形状でも良い。図１０（ａ）〜（ｈ）に示すように、先端１０ａの形状は、直線及び曲線の何れかで構成されても良く、また、直線及び曲線の両方にて構成されても良い。
【００９９】
図１１は、上壁部１４におけるくぼみの断面形状の例を表す図面である。具体的には、注口具１０において、上壁部１４を後端側から見た際（Ｔ矢視）の形状を表す図面である。
【０１００】
上壁部１４におけるくぼみの断面形状は、例えば図１１（ａ）〜（ｇ）に示すような形状をとり得る。具体的に、図１１（ａ）に示すように鈍角状の谷形状でも良いし、同図（ｂ）に示すように円弧状の谷形状でも良いし、同図（ｃ）に示すように略「コ」の字状の谷形状でも良いし、同図（ｄ）に示すように中心ライン部分が窪んだような形状でも良い。尚、（ｄ）に示すような窪みは、図（ａ）〜（ｃ）の窪みにおいて追加的に設けられても良い。また、その（ｄ）における窪みの形状は限定されず、例えば、Ｖ字状、Ｕ字状、「コ」の字状など、どのような形状でも良い。また、同図（ｅ）〜（ｇ）に示すように、縁に凸部を有し、縁部からみて相対的に凹状になっている（縁部からみて相対的に窪んでいる）形状でも良い。この場合、縁部の形状は限定されず、例えば同図（ｅ）に示すように内壁トが外側上方に向かって広がるような形状でも良いし、同図（ｆ）に示すように内壁チと底面リとが垂直となるような形状でも良いし、同図（ｇ）に示すように縁部が丸山状に形成された形状でも良い。尚、（ｅ）〜（ｇ）に示す形状において（ａ）〜（ｄ）に示す形状或いは窪みが追加的に設けられても良い。図１１（ａ）〜（ｇ）に示すように、上壁部１４におけるくぼみの断面形状は、直線及び曲線の何れかで構成されても良く、また、直線及び曲線の両方にて構成されても良い。
【０１０１】
図１２は、開口側端面１４ａについてその開口側端面１４ａを上方から見た際（Ｓ矢視）の端面形状の例を表す図面である。
開口側端面１４ａについて、そのＳ矢視の形状は、例えば図１２（ａ）〜（ｄ）に示すような形状をとり得る。具体的に、図１２（ａ）に示すように両端ルの間が真っ直ぐな直線状の形状でも良いし、同図（ｂ）に示すように両端ルに対し中央部ヲが先端側に窪んだ形状でも良いし、同図（ｃ）に示すように両端ルに対し中央部ワが円弧状に窪んだ形状でも良いし、同図（ｄ）に示すように中央部が台形状に窪んだ形状でも良い。図１２（ａ）〜（ｄ）に示すように、開口側端面１４ａのＳ矢視の形状は、直線及び曲線の何れかで構成されても良く、また、直線及び曲線の両方にて構成されても良い。
【０１０２】
図１３は、注口具１０において、上壁部１４より後端側の開口部を上方から見た際（Ｓ矢視）のその開口部の形状の例を表す図面である。尚、以下において、開口部の両端側の辺を符号１０ｂで表し、その辺を辺１０ｂと称する。
【０１０３】
開口部について、そのＳ矢視の形状は、例えば図１３（ａ）〜（ｈ）の形状をとり得る。具体的に、図１３（ａ）に示すように辺１０ｂが直線状で次第に先細となるような形状でも良いし、同図（ｂ）に示すように辺１０ｂが円弧状で次第に先細となるような形状でも良いし、同図（ｃ）に示すように辺１０ｂが直線状で略平行（開口部は方形状）となるような形状でも良いし、同図（ｄ）に示すように辺１０ｂが円弧状で略平行（開口部は俵型）となるような形状でも良いし、同図（ｅ）に示すように辺１０ｂが直線状で後端側に向かって先細となる（上壁部１４に向かって広がる）形状でも良いし、同図（ｆ）に示すように辺１０ｂが円弧状で後端側に向かって先細となる（上壁部１４に向かって広がる）形状でも良いし、同図（ｇ）に示すように台形状で後端側に向かって細くなる（上壁部１４に向かって広がる）形状でも良いし、同図（ｈ）に示すように上壁部１４側が開いた半円状の形状でも良い。尚、例えば同図（ｇ），（ｈ）の形状は、容器の注ぎ口が筒状の場合に適用できる。図１３（ａ）〜（ｈ）に示すように、開口部のＳ矢視の形状は、直線及び曲線の何れかで構成されても良く、また、直線及び曲線の両方にて構成されても良い。
【０１０４】
図１４は、注口具１０の側断面の形状の例を表す図である。
まず、開口側端面１４ａの側断面の形状は、例えば図１４（ａ）〜（ｉ）に示すような形状をとり得る。具体的に、開口側端面１４ａの側断面は、図１４（ａ）に示すように円弧状でも良いし、同図（ｂ）に示すように針状の形状でも良いし、同図（ｃ）に示すように先鋭となる形状でも良いし、同図（ｄ）に示すように先鋭となりつつ端面が平面状にカットされた形状でも良いし、同図（ｅ）に示すように角部の一方（紙面上側の角部）がＲ状（円弧状）に形成された形状でも良いし、同図（ｆ）に示すように角部の一方（紙面下側の角部）がＲ状（円弧状）に形成された形状でも良いし、同図（ｇ）に示すように上壁部１４の側断面が平板状であるものにおいて端面が平面状にカットされた形状でも良いし、同図（ｈ）に示すように紙面下側に略Ｊ字状に突出した形状でも良いし、同図（ｉ）に示すように団子状の形状でも良い。図１４（ａ）〜（ｉ）に示すように、開口側端面１４ａの側断面の形状は、直線及び曲線の何れかで構成されても良く、また、直線及び曲線の両方にて構成されても良い。
【０１０５】
また、注口具１０の側断面の形状は、例えば図１４（ｊ）〜（ｏ）に示すような形状をとり得る。具体的に、図１４（ｊ）に示すように開口側端面１４ａが紙面下側に落ち込むようにして曲がっているような形状でも良いし、同図（ｋ）に示すように先端１０ａが紙面上方に伸びて全体が沿ったような形状でも良いし、同図（ｌ）に示すように導出部１２と上壁部１４との内壁面同士で構成される内角部分が円弧状になっている形状でも良いし、同図（ｍ）に示すように先端１０ａが導出部１２よりもさらに先端側（紙面右側）に突出している構成でも良いし、同図（ｎ）に示すように上壁部１４が側断面視で略「く」の字状に形成されて空間カが存在しているような形状でも良いし、同図（ｏ）に示すように導出部１２と上壁部１４との内壁面同士で鋭角の内角ヨが形成される一方導出部１２の外壁１２ａと上壁部１４の上辺１４ｃとで鈍角タが形成されるような形状でも良い。
【０１０６】
図１５は、図１４と同じく注口具１０の側断面の形状の例を表す図である。特に、注口具１０の開口面１０ｃと上壁部１４の上辺１４ｃとの関係を表す図面である。尚、図１５においては、水平面に置かれた所定の容器に注口具１０ｃを取り付けていることを前提とする。この場合において、開口面１０ｃと上辺１４ｃとの関係は、例えば図１５（ａ）〜（ｆ）に示すようなパターンをとり得る。
【０１０７】
まず、図１５（ａ）に示すように開口面１０ｃと上辺１４ｃとがともに水平であるような構成でも良く、同図（ｂ）に示すように開口面１０ｃと上辺１４ｃとがともに先端側に向かって上向きかつ互いに平行になっている構成でも良く、同図（ｃ）に示すように開口面１０ｃと上辺１４ｃとがともに先端側に向かって上向きでかつ開口側端面１４ａが開口面１０ｃよりやや落ち込んでいる構成でも良く、同図（ｄ）に示すように開口面１０ｃが水平で上辺１４ｃが先端側に向かって上向きである構成でも良く、同図（ｅ）に示すように開口面１０ｃが先端側に向かって下向きになる一方で上辺１４ｃが水平となる構成でも良く、同図（ｆ）に示すように開口面１０ｃが先端側に向かって下向きになる一方で上辺１４ｃが先端側に向かって上向きとなる構成でも良い。
【０１０８】
図１６は、注口具１０の先端形状（導出部１２の先端形状）の例を表す図面である。
注口具１０の先端の形状（導出部１２の先端の形状）について、その形状は、例えば図１６（ａ）〜（ｈ）に示すような形状をとり得る。具体的に、図１６（ａ）示すように先端１０ａに向かって次第に先細となる三角錐状（嘴状）の形状でも良いし、同図（ｂ）に示すように略三角板状の形状でも良いし、同図（ｃ）に示すように開口部については方形状に形成されてその先の先端部分に向けて三角状に形成された形状でも良いし、同図（ｄ）に示すように先端部にむけて円弧状に形成された形状でも良いし、同図（ｅ）に示すように円筒状に形成され、容器（図示省略）に接続する根本部分に向けて同じ幅ないし幅広に形成された形状でも良いし、同図（ｆ）に示すように円筒状に形成され、容器（図示省略）に接続する根本部分に向けて幅狭に形成された形状でも良いし、同図（ｇ）に示すように四角の筒状に形成されても良いし、同図（ｈ）に示すように先端１０ａが板状に突出した形状でも良い。図１６（ａ）〜（ｈ）に示す形状は一例であり、注口具１０の先端形状（導出部１２の先端形状）としては、図１６（ａ）〜（ｈ）に示す形状に限定されるものではない。また、注口具１０の先端形状（導出部１２の先端形状）としては、図１６（ａ）〜（ｈ）に示す形状が適宜組み合わされても良い。
【０１０９】
図１７は、注ぎ口が円状に開いたボトル容器に本発明を適用した例を表す図面である。
図１７（ａ），（ｂ）は、ボトル容器２において底面と平行に設けられた注ぎ口２ａに上壁部１４を設けた例を示す図面である。特に、同図（ａ）は斜視図であり、同図（ｂ）は上壁部１４の側断面図である。
【０１１０】
上壁部１４は、同図（ａ）に示すように、注ぎ口２ａの中央部に向かって次第に先細となる略三角状の形状を有している。上壁部１４は、また、同図（ｂ）に示すように、ボトル容器２の注ぎ口２ａの内側部分からその注ぎ口２ａの縁に向かって傾斜するように設けられている。尚、上壁部１４は、注ぎ口２ａの開口面に対し略平行に設けられても良い。
【０１１１】
図１７（ｃ），（ｄ）は、ボトル容器３において底面に対して傾斜して設けられた注ぎ口３ａに上壁部１４を設けた例を示す図面である。特に、同図（ｃ）は斜視図であり、同図（ｄ）は上壁部１４の側断面図である。
【０１１２】
上壁部１４は、同図（ｃ）に示すように、半円状の形状を有している。上壁部１４は、また、同図（ｄ）に示すように、注ぎ口３ａの開口面と略平行となるように設けられている。尚、上壁部１４は、注ぎ口３ａの開口面に対し略平行に設けられる場合に限られず、例えば、開口面よりも傾斜するように（具体的にはボトル容器３内部に向けて傾斜するように）設けられても良い。
【０１１３】
図１８は、本発明を適用し得る容器の形状の例を示した図面である。
例えば、図１８（ａ）に示すように、急須の類の注ぎ口先端において本発明を適用することができる。また、図１８（ｂ）に示すように円筒状の容器の開口縁において本発明を適用することができる。また、図１８（ｃ）に示すように方形の容器の開口縁において本発明を適用することができる。
【０１１４】
また、本発明に係る注口具１０は、着脱自在であっても良い。図１９は、注口具１０の着脱の形態の例を表す図面である。
図１９（ａ）は、急須の注ぎ口に注口具１０を設ける場合の適用例を示す。この場合、同図（ｂ）に示すように、注口具１０は、急須の注ぎ口に被せられて用いられるように構成することができる。また、同図（ｃ），（ｄ）に示すように、急須の注ぎ口に挿入されて用いられるように構成することができる。また、同図（ｅ），（ｆ）に示すように、嘴状の注ぎ口を有した容器において、その嘴状の注ぎ口の先端に被せられて（装着されて）用いられるように構成することができる。
【０１１５】
さらに、図２０（ａ）に示すように、本発明に係る注口具１０は、例えば円状の注ぎ口を有したボトル容器において、その注ぎ口に被せられて用いられるように構成することができる。また、同図（ｂ）に示すように、例えば円状の注ぎ口を有したボトル容器において、その注ぎ口に挿入されて用いられるように構成することができる。
【０１１６】
以上、本発明の一実施形態について説明したが、本発明は上記実施形態に限定されるものではなく、本発明の技術範囲内において種々の形態をとることができる。
【符号の説明】
【０１１７】
１…ティーポット、１０…注口具、１２…導出部、１４…上壁部。
【図２】
0005538737.tif 000005
【図３】
0005538737.tif 000006
【図５】
0005538737.tif 000007
【図７】
0005538737.tif 000008
【図９】
0005538737.tif 000009
【図１０】
0005538737.tif 000010
【図１１】
0005538737.tif 000011
【図１２】
0005538737.tif 000012
【図１３】
0005538737.tif 000013
【図１６】
0005538737.tif 000014
【図２０】
0005538737.tif 000015
【図１】
0005538737.tif 000016
【図４】
0005538737.tif 000017
【図６】
0005538737.tif 000018
【図８】
0005538737.tif 000019
【図１４】
0005538737.tif 000020
【図１５】
0005538737.tif 000021
【図１７】
0005538737.tif 000022
【図１８】
0005538737.tif 000023
【図１９】
0005538737.tif 000024
【図２１】
0005538737.tif 000025
【図２２】
0005538737.tif 000026